【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
管腔を画定する延伸（elongate）チューブ状カテーテル本体であって、前記管腔の遠位端は閉じており、該カテーテル本体の一部は、該カテーテル本体の側壁に延びる複数の開口部を有し、それにより、カテーテルの注液部（infusion section）を画定する、延伸チューブ状カテーテル本体と、
多孔質材料から構成されるチューブ状シース（sheath）であって、該チューブ状シースは、前記注液部を覆うように配置されるとともに少なくとも前記注液部の長さだけ延び、該チューブ状シースおよび前記カテーテル本体は、前記管腔内の流体が該チューブ状シースを通って前記カテーテルを出るように構成される、チューブ状シースとを備え、
前記多孔質材料の細孔サイズは、約０．５ミクロン未満である、解剖領域に流体を送達させるためのカテーテル。
【請求項２】
前記チューブ状シースの第２の端は、前記カテーテルの遠位端から或る距離のところで前記カテーテル本体に結合される、請求項１に記載のカテーテル。
【請求項３】
前記距離は、約０．１インチである、請求項２に記載のカテーテル。
【請求項４】
前記チューブ状シースは、外径が約０．０４５インチ以下である、請求項１に記載のカテーテル。
【請求項５】
前記チューブ状シースは、長さが約２インチ〜３インチである、請求項１に記載のカテーテル。
【請求項６】
前記チューブ状シースの前記長さは、約２．４インチである、請求項５に記載のカテーテル。
【請求項７】
隙間空間（interstitial space）が前記カテーテル本体の外面と前記チューブ状シースの内面との間に画定される、請求項１に記載のカテーテル。
【請求項８】
前記チューブ状シースの第１の端および第２の端は、前記カテーテル本体の外面に熱結合される、請求項１に記載のカテーテル。
【請求項９】
前記チューブ状シースの第１の端および第２の端は、前記カテーテル本体の外面に化学結合される、請求項１に記載のカテーテル。
【請求項１０】
前記チューブ状シースの第１の端および第２の端のそれぞれは、シュリンクチューブ部材により前記カテーテル本体の外面に結合される、請求項１に記載のカテーテル。
【請求項１１】
前記多孔質材料は、中空繊維材料を含む、請求項１に記載のカテーテル。
【請求項１２】
側壁を有する延伸チューブ状カテーテル本体であって、前記側壁の外面は比較的均一の第１の直径を画定し、該カテーテル本体は、管腔を備え、該カテーテル本体の遠位部は、前記管腔内から該カテーテル本体の外側に流体を通過させ、それにより、該カテーテルの注液部を画定する、延伸チューブ状カテーテル本体と、
多孔質材料から構成されるチューブ状シースであって、該チューブ状シースは、側壁、第１の端、および第２の端を有し、前記注液部が前記第１の端および前記第２の端間にあるように前記注液部の上に配置され、該チューブ状シースの前記側壁の内面は、第２の直径を画定し、前記第１の直径および第２の直径は、該チューブ状シースと前記カテーテル本体との間に隙間空間を形成するように構成される、チューブ状シースとを備え、
前記チューブ状シースの前記第１の端および前記第２の端は、前記カテーテル本体の前記外面に固定されて前記隙間空間を実質的にシールする、解剖領域に流体を送達させるためのカテーテル。
【請求項１３】
前記チューブ状シースの前記第２の端は、前記カテーテルの遠位端から或る距離のところで前記カテーテル本体に固定される、請求項１２に記載のカテーテル。
【請求項１４】
前記距離は、約０．１インチである、請求項１３に記載のカテーテル。
【請求項１５】
前記チューブ状シースは、外径が約０．０４５インチ以下である、請求項１２に記載のカテーテル。
【請求項１６】
前記チューブ状シースは、長さが約２インチ〜３インチである、請求項１２に記載のカテーテル。
【請求項１７】
前記チューブ状シースの前記長さは、約２．４インチである、請求項１６に記載のカテーテル。
【請求項１８】
前記第１の直径は、約０．０３５インチ以下である、請求項１２に記載のカテーテル。
【請求項１９】
前記チューブ状シースの前記第１の端および前記第２の端は、前記カテーテル本体の外面に熱結合される、請求項１２に記載のカテーテル。
【請求項２０】
前記チューブ状シースの前記第１の端および前記第２の端は、前記カテーテル本体の外面に化学結合される、請求項１２に記載のカテーテル。
【請求項２１】
前記チューブ状シースの前記第１の端および前記第２の端はそれぞれ、カラーにより前記カテーテル本体の外面に結合される、請求項１２に記載のカテーテル。
【請求項２２】
前記カラーは、シュリンクチューブ（shrink tubing）の部分を含む、請求項２１に記載のカテーテル。
【請求項２３】
前記多孔質材料は、中空繊維材料を含む、請求項１２に記載のカテーテル。
【請求項２４】
管腔を画定する延伸した近位チューブと、
生体吸収性材料から構成される延伸した遠位チューブであって、該遠位チューブは、前記近位チューブの前記管腔と連通する管腔を画定し、該遠位チューブの少なくとも一部は、前記管腔の内部から該遠位チューブの外側に前記流体を連通させ、それにより、該カテーテルの注液部を画定する、遠位チューブとを備え、
前記遠位チューブの近位端部と前記近位チューブの遠位端部とは重なり、前記遠位チューブの前記近位端部は、生体適合性接着剤により前記近位チューブの前記遠位端部に結合されて、両間に実質的に流体密閉接合部を形成し、前記近位チューブと前記遠位チューブとが重なる部分の長さは、少なくとも約０．０２インチである、解剖領域に流体を送達させるためのカテーテル。
【請求項２５】
前記重なる部分は、少なくとも約０．０３インチである、請求項２４に記載のカテーテル。
【請求項２６】
前記遠位チューブの前記管腔の遠位端が先端で閉じる、請求項２４に記載のカテーテル。
【請求項２７】
前記生体吸収性材料は、患者の体内に配置されてから５〜７日以内で十分に溶解するように構成され、前記近位チューブが前記遠位チューブから取り外すことができるようになっている、請求項２４に記載のカテーテル。
【請求項２８】
前記カテーテルの前記注液部は、前記遠位チューブの側壁に延びる複数の別個の孔を含む、請求項２４に記載のカテーテル。
【請求項２９】
前記近位チューブは、外径が約０．０３５インチであり、前記遠位チューブは、外径が約０．０４２インチである、請求項２４に記載のカテーテル。
【請求項３０】
管腔を画定する延伸した近位チューブと、
閉端を有する延伸した遠位チューブであって、生体吸収性材料から構成され、前記近位チューブの前記管腔と連通する管腔を画定する、延伸した遠位チューブとを備え、
前記遠位チューブの少なくとも一部は、前記管腔内の流体を前記遠位チューブの前記部分に通過させる多孔質側壁を画定する、解剖領域に流体を送達させるためのカテーテル。
【請求項３１】
前記遠位チューブ全体が、多孔質側壁を画定する、請求項３０に記載のカテーテル。
【請求項３２】
前記近位チューブは、外径が約０．０３５インチであり、前記遠位チューブは、外径が約０．０４２インチである、請求項３０に記載のカテーテル。
【請求項３３】
前記多孔質側壁は、細孔径が約０．１ミクロン〜０．５ミクロンである、請求項３０に記載のカテーテル。
【請求項３４】
前記遠位チューブ内に支持体をさらに備え、該支持体は、生体吸収性材料から構成され、前記遠位チューブの前記管腔を複数の管腔に分割するように構成される、請求項３０に記載のカテーテル。
【請求項３５】
前記支持体は、一般に前記遠位チューブの長さのほぼ全体に延びる、請求項３４に記載のカテーテル。